(57)【要約】【課題】外部から故意に光エネルギを供給しなくても、壁面に囲まれた屋内の明かりを光エネルギの源として、昼と夜で異なる意匠を外部に表示するパネル板を提供する。【解決手段】パネル板１は、外表面５に第一の意匠１０が施されると共に、裏面６側から照射される照明光を透過する多数の透孔４が穿設された第一領域１２と、照明光を透過させない第二領域１３とを備えていて、第二領域１３を所定の形状とすることにより裏面側から照射光を照射した時、当該形状をシルエットとして第二の意匠１１を形成させる。【選択図】図１
2004077649.tif 000002
【特許請求の範囲】
【請求項１】
その外表面に第一の意匠が施されると共に、裏面側から照射される照明光を透過する多数の透孔が穿設された第一領域と、前記照明光を透過させない第二領域とを備え、前記第二領域を所定の形状とすることにより裏面側から照射光を照射した時、当該形状をシルエットとして第二の意匠を形成させ、それにより昼夜で異なる意匠を出現させることを特徴とする多意匠性を有するパネル板。
【請求項２】
請求項１に記載の多意匠性を有するパネル板において、
複数枚を組み合わせることにより前記第一の意匠及び／又は第二の意匠が形成されることを特徴とする多意匠性を有するパネル板。
【請求項３】
請求項１又は２に記載の多意匠性を有するパネル板において、
当該パネル板の一部にのみ前記透孔を設けて前記第一領域を形成し、それ以外には前記透孔を設けないことにより第二領域を形成することを特徴とする多意匠性を有するパネル板。
【請求項４】
請求項１又は２に記載の多意匠性を有するパネル板において、
当該パネル板の全面に前記透孔を配設し、その裏側に所定形状をした非透光性のライナー板を取着することにより前記第一領域と前記第二領域とを形成することを特徴とする多意匠性を有するパネル板。
【請求項５】
請求項４に記載の多意匠性を有するパネル板において、
前記ライナー板を取り替え可能としてシルエットである第二の意匠を可変としたことを特徴とする多意匠性を有するパネル板。
【請求項６】
請求項１〜５のいずれか１項に記載の多意匠性を有するパネル板において、
少なくとも、前記透孔が形成された第一領域に透光性のある透明層を配設することにより密閉性を付与したことを特徴とする多意匠性を有するパネル板。
【請求項７】
請求項１〜６のいずれか１項に記載の多意匠性を有するパネル板において、
前記第二領域に照明器具が設けられていることを特徴とする多意匠性を有するパネル板。
【請求項８】
請求項７に記載の多意匠性を有するパネル板において、
前記照明器具はその光の色が変更可能とされていることを特徴とする多意匠性を有するパネル板。
【請求項９】
請求項１〜８のいずれか１項に記載の多意匠性を有するパネル板において、
当該パネル板は建築物の外壁用パネルであることを特徴とする多意匠性を有するパネル板。
【請求項１０】
請求項１〜９のいずれか１項に記載の多意匠性を有するパネル板の使用方法であって、
前記当該パネル板の裏面側から照明器具により照明光を照射して、前記第一領域に穿設された前記透孔から光を透過させると共に、前記第二領域では光を透過させないことにより当該形状をシルエットとして第二の意匠を形成させ、これにより昼間は外表面に描かれた第一の意匠を出現させ、夜間は第二の意匠を出現させることを特徴とする多意匠性を有するパネル板の使用方法。
【発明の詳細な説明】
【０００１】
【発明が属する技術分野】
本発明は、意匠を昼夜で変化させることが可能な構造物等のパネル板及びその使用方法に関し、さらに詳しくは昼は外表面に施された意匠そのもので、夜は透孔を通る照明光を利用して異なる意匠を出現させることを可能にするパネル板及びその使用方法に関する。
【０００２】
【従来の技術】
一般的な構造物の壁面は、昼と夜とで外観が変わることは無い。そのため、格段人目を引くことも無く、一つの壁面で一つの意匠の効果を担っている。
また、壁が半透明又は透明なガラス等の材質により構成されている場合には、壁面に印字されている文字又は模様等は、明るい昼間には印字の通りに見え、暗い夜間には構造物内部から透過して来る明かりにより文字又は模様は浮き上がって見える。しかし、昼間と夜間で文字又は模様そのものが変化することは無く、色合い、コントラスト等が異なるのみで認識されうる文字又は模様そのものは変化しない。
【０００３】
一方、宣伝効果、警告効果等を有する発光表示機は、前部に意匠を施した表示用パネルを配置し、その背後に表示用パネルにバックライトを照射する光源を配置している。この前部の表示用パネルは光透過性を有することが必要である。さらには、このような発光表示機において、前部の表示用パネルに第一の意匠を施し、その背後に第二の意匠を施したものも知られている。そのため、光源の非点灯時には第一の意匠を表現し、光源の点灯時には第二の意匠が前部の表示用パネルに映し出され、一つの発光表示機で二つの意匠を表現することが出来る。
【０００４】
前段で示した第一の意匠と第二の意匠を表現出来る発光表示機としては、例えば、特開２００２−２３６６８に係る発光表示機が知られている。この発光表示機を図６及び図７を用いて説明する。
図６は、第一の意匠が表現されている発光表示機の正面図である。また、図７は、発光表示機の断面側面図である。
図示した発光表示機８０は、表示用パネル８１と、第一の意匠を形成する印刷部８２と、光源８４と、ケース８５とを含んで構成されている。
発光表示機８０の前部の表示用パネル８１は、光透過性シートである。表示用パネル８１には、第一の意匠が印刷部８２により形成されている。この印刷部８２は、光不透過であるが、印刷部の間の部分８３は、光透過性シートそのものであるので光透過領域となっている。表示用パネル８１の背後で、且つケース８５の後部に取り付けられた光源８４が非点灯の時には、ケース８５内部は暗部となっている。また、光源８４が点灯時には、光源８４からは、第二の意匠である映像情報の光８６が表示用パネル８１に照射される。
【０００５】
発光表示機８０において、光源８４が非点灯の時には、ケース８５内部は暗部となっているために表示用パネル８１の印刷部８２は第一の意匠を形成する。それに対して、光源８４の点灯時には、印刷部８２で光を遮断し、光透過領域８３から光が透過され、光源８４から映像情報の光８６が表示用パネル８１に映し出される。この映像情報の光８６は、印刷部８２の間の部分８３から透過して拡散光８７となり、印刷部８２は見えなくなると共に、表示用パネル８１に映し出され、第二の意匠が構成される。このようにして一つの発光表示機８０で、二つの意匠が表現される。
【０００６】
しかし、発光表示機８０では、第一の意匠を別の意匠に変換するためには、表示用パネル８１そのものを交換しなければならない。同様に第二の意匠も容易に変換できない。このように現在知られているパネル板は、表示される二つ以上の意匠が容易に取り替えられるパネル板ではない。まして、このようなパネル板を構造物の壁に用いたりすると、大掛かりな工事をしなければ表示される意匠を変換することが出来ず、構造物の壁に用いることは不可能である。
一方、このような発光表示機８０等のパネル板は、外部からの光エネルギを故意に供給することで二つの意匠を演出しているのであって、意図的な外部からの光エネルギの供給なくしては成立し得ないものである。現在のところ、光エネルギを副次的に利用し、壁面に異なる意匠を表示させる機能を有するパネル板は無い。
【０００７】
【発明が解決しようとする課題】
そこで、本発明では、外部から故意に光エネルギを供給しなくても、壁面に囲まれた屋内の明かりを光エネルギの源として、昼と夜で異なる意匠を外部に表示するパネル板を提供することを目的とする。
【０００８】
【課題を解決するための手段】
上記課題を解決するために請求項１記載の発明は、その外表面に第一の意匠が施されると共に、裏面側から照射される照明光を透過する多数の透孔が穿設された第一領域と、照明光を透過させない第二領域とを備え、第二領域を所定の形状とすることにより裏面側から照射光を照射した時、形状をシルエットとして第二の意匠を形成させ、それにより昼夜で異なる意匠を出現させることを特徴とする多意匠性を有するパネル板を提供する。
【０００９】
このため、請求項１記載の発明では、明るい昼間には、外表面に施された第一の意匠を見せることが出来る。また、暗い夜間には、例えば構造物の屋内の生活用照明光を用いて、その光が第一領域より外表面に透過して、第二領域の形状がシルエットとなり、その明暗の差で第二の意匠が形成される。
【００１０】
上記課題を解決するために請求項２記載の発明は、請求項１に記載の多意匠性を有するパネル板において、複数枚を組み合わせることにより第一の意匠及び／又は第二の意匠が形成されることを特徴とする。それ故、複数のパネル板を並列に並べて、大きな壁を構成したり、それぞれのパネル板の意匠に関連付けた意匠を施すことで物語を壁面に表現したりすることが出来る。
【００１１】
上記課題を解決するために請求項３記載の発明は、請求項１又は２に記載の多意匠性を有するパネル板において、パネル板の一部にのみ透孔を設けて第一領域を形成し、それ以外には透孔を設けないことにより第二領域を形成することを特徴とする。このため、パネル板のみで第一領域と第二領域を形成することが可能になる。
【００１２】
上記課題を解決するために請求項４記載の発明は、請求項１又は２に記載の多意匠性を有するパネル板において、パネル板の全面に透孔を配設し、その裏側に所定形状をした非透光性のライナー板を取着することにより第一領域と第二領域とを形成することを特徴とする。
また、上記課題を解決するために請求項５記載の発明は、請求項４に記載の多意匠性を有するパネル板において、ライナー板を取り替え可能としてシルエットである第二の意匠を可変としたことを特徴とする。
請求項４に係る発明により、ライナー板により第二の意匠が特徴付けられ、請求項５に係る発明により、第二の意匠を容易に変化させることが出来るようになる。
【００１３】
上記課題を解決するために請求項６記載の発明は、請求項１〜５のいずれか１項に記載の多意匠性を有するパネル板において、少なくとも、透孔が形成された第一領域に透光性のある透明層を配設することにより密閉性を付与したことを特徴とする。この透明層を配設することで、構造物内の密閉性が保て、外環境から内環境を保護することが可能になる。
【００１４】
上記課題を解決するために請求項７記載の発明は、請求項１〜６のいずれか１項に記載の多意匠性を有するパネル板において、第二領域に照明器具が設けられていることを特徴とする。このため、照明光の消灯時においても、夜間に第二の意匠を形成可能となる。
【００１５】
上記課題を解決するために請求項８記載の発明は、請求項７に記載の多意匠性を有するパネル板において、照明器具はその光の色が変更可能とされていることを特徴とする。このため、第二の意匠を明暗のみで表現するのではなく、多種の色を用いて表現でき、第二の意匠の幅が広かる。
【００１６】
上記課題を解決するために請求項９記載の発明は、請求項１〜８のいずれか１項に記載の多意匠性を有するパネル板において、パネル板は建築物の外壁用パネルであることを特徴とする。このため、パネル板そのものが構造物の一翼を担うようになり、パネル板は一定以上の強度を保持することが出来る。
【００１７】
上記課題を解決するために請求項１０記載の発明は、請求項１〜９のいずれか１項に記載の多意匠性を有するパネル板の使用方法であって、パネル板の裏面側から照明器具により照明光を照射して、第一領域に穿設された透孔から光を透過させると共に、第二領域では光を透過させないことにより形状をシルエットとして第二の意匠を形成させ、これにより昼間は外表面に描かれた第一の意匠を出現させ、夜間は第二の意匠を出現させることを特徴とする。
【００１８】
【発明の実施の形態】
以下、本発明に係るパネル板の一実施形態について図１及び図２を参照しつつ詳細に説明する。
図１（ａ）は、本発明に係るパネル板の斜視図であり、図１（ｂ）は本発明に係るパネル板の背後斜めから見た斜視図である。図２（ａ）は、図１に示すパネル板の昼間の模式図であり、図２（ｂ）は図１に示すパネル板の夜間の模式図である。
【００１９】
本発明に係るパネル板１は、パネル本体２を含んで構成されている。図示したパネル板１は、板状に形成された鋼鉄製パネル及び／又は建築物の外壁用パネルである事が好ましく、金属製、木材製、又はプラスチック製でも良い。また、パネル本体２は数ｍｍの厚さであることが望ましいため、パネル板１が大きい時には座屈が起こり易い。このため、必要に応じて、パネル本体２の外周を折り曲げた枠２ａの間に、補強材３をあてがう事が出来る。補強材３は鉄鋼製でも、又は木材製でも良く、適宜一本から数本設置出来る。パネル本体２と補強材３との間には空間を保ちながら、補強材３は枠２ａの間に固定可能である。枠２ａへの補強材の固定方法は、材質により接着及び溶接等の接合技術による化学的な固定方法、又はボルト・ナット等による機械的な固定方法かを選択することも可能である。
【００２０】
パネル本体２は、透孔４を含んで構成されていて、パネル本体２には外表面５と裏面６がある。
パネル本体２には、外表面５から裏面６に貫通していて、光を透過する多数の透孔４が外表面５にランダムに穿設されている。透孔４は任意に穿設され、パネル本体２を見た時に明らかに孔が開いていると認識されない程度の大きさ及び間隔で透孔４は穿設されていることが好ましい。また、透孔４は円筒形でも良いし、テーパが付いていても良い。
一方、パネル本体２の外表面５には、第１の意匠１０が描かれていて、この意匠は文字、数字又は模様等であり、立体的な凹凸を有していても良い。そのため、パネル本体２に穿設されている透孔４は、外表面５に描かれている第一の意匠１０を損なうほどの大きさの孔ではない。且つ外表面５の単位面積に閉める透孔４の面積比は５０％を超えない方が良い。
また、パネル板１は、複数枚を並列に並べて一組のパネル板としても良い。
【００２１】
図１及び図２に示した本発明に係るパネル板１は、外表面５が外側に面し、例えば裏面６は構造物の内側に位置するように、構造物の壁や屋根などの構造物の表面に主に設置される。このパネル板１の外表面５に第一の意匠１０である「Ｗ」の文字が描かれている。一方、仮想線である点線で分けられ、透孔４が多数穿設された領域は、第一領域１２であり、他の孔の開いていない領域が、第二領域１３である。図では、第二領域１３が第二の意匠１１に対応していて、第二の意匠１１は「山」の形状をなしている。
【００２２】
明るいに昼間は、図２（ａ）のように外表面５に施された第一の意匠１０である「Ｗ」の文字が鮮明に認識できる。このとき、一見すると第一領域の透孔４は認識できず、「Ｗ」の文字は透孔４により曖昧とされない。
それに対して、暗い夜間には、図２（ｂ）のように第二の意匠１１である「山」の形状をなしたシルエットが形成される。これは、構造物の内側の、例えば室内灯等の照明光の光が、裏面６から外表面５へ透孔４を透過して形成されるものである。このとき透過した光が、拡散孔となっていれば、透孔４は認識されにくく、より「山」のシルエットのみが強調される。
【００２３】
夜間に構造物内の室内等が点灯していなければ、透孔４から構造物の外側に光が透過することは無いので、「山」のシルエットは表示されない。このようなときに「山」のシルエットを表示したいと欲すれば、パネル本体２の後ろに照明器具を設ければ良い。照明器具としては蛍光灯等の光を用いることが可能で、パネル板１の裏面６の背後に設置固定できる。そのような照明器具をパネル板１の内部に取り込み、照明器具を備えたパネル板１とすることも出来る。また、照明器具の光の色を赤等の色にして、図示した実施例においては、第二の意匠１１を単なる「山」とせずに「夕焼けに染まる山」といったように表現することも可能である。
【００２４】
次に、本発明に係るパネル板１の第二の実施形態について図３を参照しつつ詳細に説明する。
図３（ａ）は、本発明に係るパネル板１の斜視図であり、図３（ｂ）は本発明に係るパネル板１の背後斜めから見た斜視図である。
第二の実施形態において、パネル板１は、パネル本体２と、そしてライナー板７を含んで構成されている。図３でも、図１と同様に外表面５には「Ｗ」の文字が描かれていて、第一の意匠１０となっている。一方、透孔４は、外表面５全体に穿設されている。また、パネル板１の背後の裏面６にはパネル板１の座屈を防ぐために枠２ａの間に補強材３が数本設置されている。その補強材３とパネル本体２との間にはライナー板７が設置されている。透孔４が全体に穿設された外表面５とライナー板７により、第一領域１２と第二領域１３が形成される。つまり、透孔４がライナー板７により塞がれていない外表面５の領域が第一領域１２、透孔４がライナー板７により塞がれている外表面５の領域が第二領域１３になっている。
【００２５】
ライナー板７は、光不透過性の材料から出来ていて、例えば発泡スチロールや鋼や木の板又はビニールシート等で作製できる。また、図３においてライナー板７は、補強材３とパネル本体２の間に設置されているが、補強材３が無い場合には裏面６に直接貼り付けることも可能である。さらには、ライナー板７は、取り外し可能であり、例えば季節ごと、又はイベントごと等に異なる形状のライナー板７を取り付けても良い。つまり、後述するようにライナー板７を可変することで、第二の意匠１１を容易に変化させることが出来る。図３で示したライナー板７は「山」の外形を模ったのみの形状をしているが、「山」の中に光の通り道となる孔をさらに穿設して、複雑な形状のライナー板７となっても良い。
【００２６】
図３において、ライナー板７は光不透過であるため、ライナー板７で覆われている面は不透光面で第二領域１３、覆われていない面は透光面で第一領域１２となる。従って、裏面６背後の照明光からの光は、ライナー板７で覆われていない第一領域１２の透孔４からのみ外表面５に透過する。このため、光の通った領域の形は「山」の形となり、第二の意匠１１は「山」の形、すなわちライナー板７の形になる。このように、第二の実施形態のパネル板１においても、第一の実施形態と同様に、昼間は「Ｗ」の文字を、夜間は「山」のシルエットが表示される。
ライナー板７はすでに述べたように、別のライナー板７に取り替えることが出来るので、異なる第二の意匠１１を容易に形成させることが出来るようになる。
【００２７】
パネル板１には、多数の透孔４が穿設されているため、例えばパネル板１を構造物の壁に用いた時には、そのままでは外環境と内環境を隔てることが出来なくなる。これでは、四季を通じての生活には適さなくなり、パネル板１を構造物の、特に一般家屋の壁には用いられない。この問題を打開するために、本発明であるパネル板１の外表面５には透光性のある透明層を貼り付け、密閉性を付与することが出来る。また、透明層に第一の意匠１０を施すことも可能である。さらに、この透明層は取り付け、取り外しが行えるため、第一の意匠１０も必要に応じて変化させることが出来るようになる。もちろん透明層に第一の意匠１０を施した時には、外表面５に第一の意匠１０を描かなくても良い。しかし、透明層に施した意匠と、外表面５に施した意匠を複合させることで、複雑な第一の意匠１０を表現することも出来るようになる。この透明層は、ガラス、プラスチック、ビニール等の透明のシート等により製造されることが好ましい。
【００２８】
第二の実施形態のパネル板１の昼夜で異なる意匠の形成方法について、図４及び図５を参照しつつ、時間に従い説明する。
パネル板１は、構造物５０の外壁用パネルとして、設置されている。パネル板１は並列に２枚並べて一つの壁を構成している。パネル本体２の外表面５には、第一の意匠である「Ｗ」の文字が描かれていて、構造物５０の外側からは「Ｗ」の文字が認識される。この時、パネル板１には、透孔４が穿設されているが、一見すると透孔４の存在は分からず、「Ｗ」の文字は鮮明である。日が沈み夜になると、外表面５に描かれた「Ｗ」の文字は外部から認識できなくなる。
【００２９】
一方、夜になり、構造物５０内で点けられた室内灯、又は明るい昼間は外部から認識できなかった常に点けられている室内灯の光が透孔４から外部に透過する。透孔４は全面に多数穿設されているが、裏面６にライナー板７が配設されているので、ライナー板７で覆われていない透光面からのみ、光が外部に透過する。図ではライナー板７の形状が「山」の形状をなしているので、「山」のシルエットが浮かび上がる。つまり、「山」の模様が外部から鮮明に認識され、日中見られた「Ｗ」の文字が透過した光により照らされて認識されることも無い。
このようにして、昼夜で異なる意匠が、本発明であるパネル板１により形成可能になる。
【００３０】
【発明の効果】
以上のように、請求項１に記載の発明に係るパネル板によれば、昼間は構造物の外部にある自然光により第一の意匠を形成させ、夜間は構造物内部からの照明光等の人工の光により第二の意匠を形成させることが出来る効果を有する。
この照明光は、故意にパネル板に照射させるのではなく、通常は屋内での生活又は仕事等に用いられている光を用いるので光エネルギを有効に用いて昼夜で異なる意匠を演出し、人々を楽しませる効果も有する。
【００３１】
請求項２に記載の発明によれば、パネル板を複数枚並列に並べることが出来るため、パネル板の組み合わせにより、大きいサイズの、従って、堂々としたダイナミックな種々の意匠を表現できる効果を有する。
請求項３に記載の発明によれば、パネル板のみで第一の意匠と第二の意匠を特定でき、より少ない構成で二つの意匠を形成できる効果を有する。
【００３２】
請求項４に記載の発明によれば、同一のパネル本体を用いて、異なる形状のライナー板を組み合わせることで、種々の第二の意匠を表現することが出来る効果を有する。従って、パネル本体を規格化して量産し、そこに種々の意匠を有するライナー板を組み合わせることで、安価に、異なるパネル板を提供することが出来るようになる。
請求項５に記載の発明によれば、一つのパネル板で種々の第二の意匠を形成できる効果を有する。
【００３３】
請求項６に記載の発明によれば、完全にパネル板を用いて構造物の外環境と内環境を隔てることが出来るため、パネル板を構造物、中でも住宅等に用いることが出来るようになる。
請求項７に記載の発明によれば、構造物内部からの照明光が無くても、第二の意匠を形成することが出来る効果を有する。
また、請求項８に記載の発明によれば、第二の意匠を形成する光の色を調節して、一つの形状でも、異なる意匠を表現することが出来る効果を有する。
【００３４】
請求項９に記載の発明によれば、汎用の外壁用パネルを用いることで、量産することが出来る効果を有する。
請求項１０に記載の発明によれば、構造物外部の自然光や構造物内部の照明光を、パネル板を透過させることにより、昼間に第一の意匠を、夜間に第二の意匠を出現させることが出来る効果を有する。
【図面の簡単な説明】
【図１】本発明に係るパネル板の第一の実施形態であり、（ａ）は斜視図であり、（ｂ）はパネル板の背後斜めから見た斜視図である。
【図２】（ａ）は、図１に示すパネル板の昼間の模式図であり、（ｂ）は図１に示すパネル板の夜間の模式図である。
【図３】本発明に係るパネル板の第二の実施形態であり、（ａ）は斜視図であり、（ｂ）はパネル板の背後斜めから見た斜視図である。
【図４】第二の実施形態であるパネル板の適用例であり、（ａ）は、民家等の構造物の壁面に利用したパネル板を昼間に外部から見た模式図であり、（ｂ）は、夜間にパネル板を外部から見た模式図である。
【図５】（ａ）は、図４（ａ）に示すパネル板の断面模式図であり、（ｂ）は、図４（ｂ）に示すパネル板の断面模式図である。
【図６】従来の第一の意匠が表現されている発光表示機の正面図である。
【図７】従来の発光表示機の断面側面図である。
【符号の説明】
１　パネル板
２　パネル本体
２ａ　枠
３　補強材
４　透孔
５　外表面
６　裏面
７　ライナー板
１０　第一の意匠
１１　第二の意匠
１２　第一領域
１３　第二領域
５０　構造物
８０　発光表示機
８１　表示用パネル
８２　印刷部
８３　印刷部の間の部分
８４　光源
８５　ケース
８６　映像情報の光
８７　拡散光
【図１】
2004077649.tif 000003
【図２】
2004077649.tif 000004
【図３】
2004077649.tif 000005
【図４】
2004077649.tif 000006
【図５】
2004077649.tif 000007
【図６】
2004077649.tif 000008
【図７】
2004077649.tif 000009